(57)【要約】【課題】キーボード装置の消費電力の低減を図る。【解決手段】ドラム７にＮｕｍ　Ｌｏｃｋ，　Ｃａｐｓ　Ｌｏｃｋ，　Ｓｃｒｏｌｌ　Ｌｏｃｋ，　Ｅ−Ｍａｉｌなどの光表示窓の表示組み合わせに対応させた穴ｈを形成し、この穴開きドラム７をモータ９によりキーモードに応じた回転位置に回転する。穴開きドラムの内部には一個のＬＥＤ　１１と一入力多出力光導管１２を配置し、一個のＬＥＤから複数の光表示窓へ光を導く。Ｎｕｍ　Ｌｏｃｋなどの操作に応じて制御部が穴開きドラムを所定の位置に回転し、該当する光表示窓に内部から光が照射される。一個のＬＥＤで複数の光表示窓へ光を供給するので、光表示窓とＬＥＤを一対一とした従来のキーボード装置よりも全体的な消費電力が低減される。【選択図】　図２
2004078691.tif 000002
【特許請求の範囲】
【請求項１】
ドラムに、キーボード装置の複数の光表示窓と合致し、且つ複数の光表示窓の全ての組合わせに対応する複数の穴列を周方向に配列し、前記穴開きドラム内に光源を配置するとともに、穴開きドラムを回転駆動する駆動手段と、Ｎｕｍ　Ｌｏｃｋ，　Ｃａｐｓ　Ｌｏｃｋ，　Ｓｃｒｏｌｌ　Ｌｏｃｋ等のキー操作やＥ−Ｍａｉｌの着信等に応じて前記穴開きドラムを所定の回転位置に制御する制御手段を設け、穴開きドラムを回転してＮｕｍ　Ｌｏｃｋなどの光表示の切替えを行うように構成したキーボード装置。
【請求項２】
上記穴開きドラム内に一つのＬＥＤと一入力多出力光導管を配置し、一つのＬＥＤの光をキーボード装置の複数の光表示窓へ分配供給するように構成した請求項１記載のキーボード装置。
【請求項３】
上記キーボード装置の複数の光表示窓と穴開きドラムとの間に遮光プレートを配置し、遮光プレートを複数の光表示窓を遮蔽する位置と退避位置とにスライドする駆動手段を設け、上記穴開きドラムの回転時に遮光プレートを遮蔽位置へスライドし、回転完了時に遮光プレートを遮蔽位置から退避させる制御手段を設けた請求項１記載のキーボード装置。
【発明の詳細な説明】
【０００１】
【発明の属する技術分野】
この発明は、キーボード装置に関するものであり、特に、消費電力の低減を図ったキーボード装置に関するものである。
【０００２】
【従来の技術及び発明が解決しようとする課題】
デスクトップコンピュータやノートブックコンピュータのキーボード装置は、Ｎｕｍ　Ｌｏｃｋ，　Ｃａｐｓ　Ｌｏｃｋ，　Ｓｃｒｏｌｌを表示する三つのＬＥＤが備えられており、その他にＥ−Ｍａｉｌの着信表示ＬＥＤなどを追加した多機能形のものもあって、ＬＥＤのオン／オフによってそれぞれの機能の状態を表示している。したがって、ＬＥＤの点灯個数に比例して電力消費が増大するという問題がある。そこで、キーのＬｏｃｋ状態表示やＥ−Ｍａｉｌ着信表示などで消費される電力を低減するために解決すべき技術的課題が生じてくるのであり、本発明は上記課題を解決することを目的とする。
【０００３】
【課題を解決するための手段】
この発明は、上記目的を達成するために提案するものであり、ドラムに、キーボード装置の複数の光表示窓と合致し、且つ複数の光表示窓の全ての組合わせに対応する複数の穴列を周方向に配列し、前記穴開きドラム内に光源を配置するとともに、穴開きドラムを回転駆動する駆動手段と、Ｎｕｍ　Ｌｏｃｋ，　Ｃａｐｓ　Ｌｏｃｋ，　Ｓｃｒｏｌｌ　Ｌｏｃｋ等のキー操作やＥ−Ｍａｉｌの着信等に応じて前記穴開きドラムを所定の回転位置に制御する制御手段を設け、穴開きドラムを回転してＮｕｍ　Ｌｏｃｋなどの光表示の切替えを行うように構成したキーボード装置を提供するものである。
【０００４】
また、上記穴開きドラム内に一つのＬＥＤと一入力多出力光導管を配置し、一つのＬＥＤの光をキーボード装置の複数の光表示窓へ分配供給するように構成したキーボード装置を提供するものである。
【０００５】
また、上記キーボード装置の複数の光表示窓と穴開きドラムとの間に遮光プレートを配置し、遮光プレートを複数の光表示窓を遮蔽する位置と退避位置とにスライドする駆動手段を設け、上記穴開きドラムの回転時に遮光プレートを遮蔽位置へスライドし、回転完了時に遮光プレートを遮蔽位置から退避させる制御手段を設けたキーボード装置を提供するものである。
【０００６】
【発明の実施の形態】
以下、この発明の実施の一形態を図に従って詳述する。図１はキーボード装置１を示し、テンキーグループ２の上側にＮｕｍ　Ｌｏｃｋ，　Ｃａｐｓ　Ｌｏｃｋ，　Ｓｃｒｏｌｌ　Ｌｏｃｋ，　Ｅ−Ｍａｉｌの光表示窓３，　４，　５，　６が配置されている。
【０００７】
図２はワイヤレスキーボード装置１のキーモードやＥ−Ｍａｉｌの光表示機構を示し、７は外周面に複数の穴ｈを配列した穴開きドラムであり、穴開きドラム７の一端の外周面に歯車８を形成してモータ９のシャフトに取付けた歯車１０を噛合わせており、モータ９により穴開きドラム７を回転駆動するように構成している。穴開きドラム７の内部には、一個のＬＥＤ　１１と１−４分岐光導管１２とを配置しており、図３に示すようにＬＥＤ　１１は１−４分岐光導管１２の入力端１３に接近配置されていて、ＬＥＤ　１１が発する光は四つの光出口１４へ分配され、穴開きドラム７の穴ｈを通じて光表示窓３，　４，　５，　６のそれぞれへ光が投射される。
【０００８】
図４は穴開きドラム７の展開図であり、四個の光表示窓３，　４，　５，　６の点灯組合わせ（２４＝１６通り）から００００（全てオフ）を除いた０００１から１１１１までの１５通りの組合わせに対応する穴列（１〜１５）が周方向に配列されていて、穴開きドラム７の回転角度に応じて１５通りの点灯組合わせを表現でき、全てオフの場合はＬＥＤ　１１を消灯させて電力消費を削減する。
【０００９】
キーボード装置１の上面カバーフレーム（図示せず）と穴開きドラム７との間には、光表示窓３，　４，　５，　６と同一ピッチで穴１５，　１６，　１７，　１８を形成した遮光プレート１９を配置しており、遮光プレート１９を左右へスライドさせるラックピニオン機構及びモータ２０を設けている。遮光プレート１９は、穴開きドラム７を回転して或る点灯状態から他の点灯状態へ移行する際に、その間の点灯状態が表示されないようにするもので、遮光プレート１９を横にスライドして上面カバーフレームの光表示窓３，　４，　５，　６を遮蔽した後に穴開きドラム７を回転し、回転を停止した後に遮光プレート１９を初期位置に戻して光表示窓３，　４，　５，　６を開放する。
【００１０】
例えば、図４において８列のＮｕｍ　Ｌｏｃｋ表示位置から１２列のＮｕｍ　Ｌｏｃｋ・Ｃａｐｓ　Ｌｏｃｋ表示位置に移行するときは、Ｎｕｍ　Ｌｏｃｋ状態でキーボード制御部が遮光プレート１９を横にスライドさせて光表示窓３，　４，　５，　６を遮蔽し、続いて穴開きドラム７を回転して１２列を光表示窓３，　４，　５，　６に合致させた後に遮光プレート１９を初期位置に戻して遮光プレート１９の穴１５，　１６，　１７，　１８を光表示窓３，　４，　５，　６に一致させる。これにより、穴開きドラム７の回転中に９列乃至１１列の点灯状態が順に表示されることがなく、８列から１２列へ直接切換わったようにみえる。
【００１１】
図５はワイヤレスキーボード装置１の回路構成を示し、２１はキーボード制御部、２２はキーマトリクス回路、１１はＬＥＤ、２３は前述した二個のモータ９，　２０を駆動するモータ駆動回路である。キーボード制御部２１は、コンピュータ３１から送られたデータコードを受信し、データコードに含まれるキーロック状態に関するコード、或いはＥ−Ｍａｉｌ着信表示コードに応じてモータ駆動回路２３へ制御信号を出力し、二個のモータ９，　２０を制御して光表示する。
【００１２】
Ｎｕｍ　Ｌｏｃｋ，　Ｃａｐｓ　Ｌｏｃｋ，　Ｓｃｒｏｌｌ　Ｌｏｃｋのキー操作は従来のキーボード装置と変わるところはなく、デスクトップコンピュータにおいては通常のデフォルト設定はＮｕｍ　Ｌｏｃｋとなっていることから、システム起動時には穴開きドラムはＮｕｍ　Ｌｏｃｋを表示する８列が光表示窓３，　４，　５，　６に合致した位置に回転され、ＬＥＤ　１１はオンして光表示窓３のみに光がみえてＮｕｍ　Ｌｏｃｋを表示する。この状態でＮｕｍ　Ｌｏｃｋキーを押すとコンピュータ３１からキーボード制御部２１へ送信されるコードによりキーボード制御部２１がＬＥＤ　１１をオフし、Ｎｕｍ　Ｌｏｃｋキーを押す毎にＬＥＤ　１１のオンとオフが切替わりＮｕｍ　Ｌｏｃｋのオン／オフ表示が切替わる。
【００１３】
また、例えばＮｕｍ　Ｌｏｃｋ，　Ｃａｐｓ　Ｌｏｃｋ，　Ｓｃｒｏｌｌ　Ｌｏｃｋが全てオフでＬＥＤ　１１が消灯している状態でＥ−Ｍａｉｌが着信した場合は、遮光プレート１９がスライドして光表示窓３，　４，　５，　６を遮蔽するとともにＬＥＤ　１１が点灯し、続いて穴開きドラム７の８列が光表示窓３，　４，　５，　６に合致した状態から１列が光表示窓３，　４，　５，　６に合致する位置に穴開きドラム７を回転し、その後に遮光プレート１９を初期位置に戻して光表示窓６を点灯状態とし、Ｅ−Ｍａｉｌの着信を表示する。そして、Ｅ−Ｍａｉｌプログラムを起動してＥ−Ｍａｉｌを開封すると、コンピュータ３１がＥ−Ｍａｉｌ開封コードをキーボード制御部２１へ送信し、キーボード制御部２１がＬＥＤ　１１をオフしてＥ−Ｍａｉｌ着信表示が取消される。以下、個別の説明は省略するが、キー操作或いはＥ−Ｍａｉｌ着信に応じてＬＥＤ　１１のオンオフ制御、遮光プレート１９のスライド及び穴開きドラム７の回転位置制御が行われて、表示の変更が行われる。
【００１４】
いずれの動作時にも遮光プレート１９のスライド及び穴開きドラム７の回転は瞬時に完了し、表示切替完了後にモータ９，　２０への通電が停止されるとともに、一個のＬＥＤ　１１で全ての状態表示をまかなうので、ＬＥＤより消費電力の大きいモータを使用しているにもかかわらず、従来のキーボード装置において複数のＬＥＤを長時間点灯する場合よりも全体的な消費電力は低減される。よって、電池を電源とするワイヤレスキーボード装置のように可及的に消費電力を抑制する必要があるものにも上述した光表示機構を装備することが可能である。
【００１５】
尚、この発明は上記の実施形態に限定するものではなく、この発明の技術的範囲内において種々の改変が可能であり、この発明がそれらの改変されたものに及ぶことは当然である。
【００１６】
【発明の効果】
以上説明したように、本発明のキーボード装置は、Ｎｕｍ　Ｌｏｃｋ，　Ｃａｐｓ　Ｌｏｃｋ，　Ｓｃｒｏｌｌ　Ｌｏｃｋなどの光表示窓の順列組合わせに対応させた複数の穴を形成した穴開きドラムを回転することにより、一つの光源で各光表示窓の光のオン／オフができるようにしたので、複数の光源を搭載し光表示窓と光源を一対一とした従来のキーボード装置よりも消費電力が低減され、特に低消費電力が要求されるワイヤレスキーボードなどに有効な発明である。
【図面の簡単な説明】
【図１】キーボード装置の平面図。
【図２】キーボード装置の光表示機構の解説図。
【図３】光分配機構の解説図。
【図４】穴開きドラムの平面展開図。
【図５】キーボード装置の回路ブロック図。
【符号の説明】
１　　　　キーボード装置
３，４，５，６　　光表示窓
７　　　　　穴開きドラム
８　　　　　歯車
９　　　　　モータ
１０　　　　　歯車
１１　　　　　ＬＥＤ
１２　　　　　１−４分岐光導管
１５，１６，１７，１８　　　穴
１９　　　　　遮光プレート
２０　　　　　モータ
【図１】
2004078691.tif 000003
【図２】
2004078691.tif 000004
【図３】
2004078691.tif 000005
【図４】
2004078691.tif 000006
【図５】
2004078691.tif 000007